(57)【特許請求の範囲】
【請求項１】
光学系防塵ガラスと感光ドラム電位センサを備えた画像形成装置において、該光学系防塵ガラスと該感光ドラム電位センサをユニットに一体化し、前記ユニットを画像形成装置本体内から着脱可能とした事を特徴とする画像形成装置。
【請求項２】
前記防塵ガラスと前記電位センサをサブユニット化し、前記ユニットが画像形成装置本体内に装着された状態で、前記サブユニットが独立して着脱可能であり、着脱時に前記サブユニットをガイドする溝が前記ユニットに設けられている事を特徴とする請求項１記載の画像形成装置。
【請求項３】
前記電位センサが前記防塵ガラスの内側に配置されている事を特徴とする請求項１記載の画像形成装置。
【請求項４】
前記防塵ガラスをサブユニット化し、前記ユニットが画像形成装置本体内に装着された状態で、前記サブユニットが独立して着脱可能であり、前記サブユニットの着脱動作に連動して、前記サブユニットと一体の清掃部材が前記電位センサを清掃する事を特徴とする請求項１記載の画像形成装置。
【発明の詳細な説明】
【０００１】
【発明の属する技術分野】
本発明は光学系防塵ガラスと感光ドラム電位センサを備えた複写機やプリンタなどの画像形成装置に関する。
【０００２】
【従来の技術】
従来の画像形成装置、例えば複写機において、書き込み光学系及び感光ドラム周辺は図５に示すように、像担持体としての感光ドラム３０１、一次帯電器３０２、現像器３０３、転写前帯電器３０４、転写帯電器３０５、クリーナ３０６、スキャナユニット３０７、反射板３０８、防塵ガラスユニット３２１、電位センサユニット３２２で構成されており、書き込み光学系と感光ドラム３０１との間は遮蔽板３１０で遮蔽されている。
【０００３】
書き込み光学系からの光３０９は、防塵ガラス３１１を介して感光ドラム３０１に到達しており、感光ドラム３０１周辺の汚れが書き込み光学系に入ることがないように、防塵ガラス３１１は書き込み光学系と感光ドラム３０１の間の気密性を確保している。
【０００４】
電位センサ３１２は、感光ドラム３０１の表面上の電位を測定するセンサであり、感光ドラム３０１の長手中央付近に配置されている。防塵ガラス３１１と電位センサ３１２は、感光ドラム３０１の周辺に配置されているため、トナーなどで汚れる事も多く、性能を維持するために定期的な清掃が行われる。
【０００５】
そのため、防塵ガラス３１１と電位センサ３１２は、複写機本体からユニット又は単体で着脱し清掃が行えるように構成されている。
【０００６】
【発明が解決しようとする課題】
しかしながら、従来例で示した画像形成装置の防塵ガラス３１１と電位センサ３１２の構成には以下に挙げる課題があった。
【０００７】
まず第１の課題として、画像形成装置は小型省スペースの要求に応えるため、従来以上に画像形成装置を構成する各ユニットは小型化され、高密度で収納することが要求される。防塵ガラスユニット３２１、電位センサユニット３２２も他のユニット同様に非常に密集した所へ収納する必要があり、それぞれ別のユニットで構成していると着脱が非常に困難であり、清掃しずらいという問題があった。
【０００８】
第１の課題で、防塵ガラス３１１については、画像形成装置本体の手前より防塵ガラス３１１を単体、又はガラスホルダ部分のみで引き出す構成にする事で清掃作業性を改善することが多く提案されているが、電位センサ３１２は感光ドラム３０１長手中央に位置しているため、ユニットごと取り出して、電位センサを清掃しているため作業性が悪いと言う問題があった。
【０００９】
本出願に係る発明の目的は、従来の前記課題を解決するものであり、防塵ガラスと電位センサの清掃作業性を向上させた画像形成装置を提供しようとするものである。
【００１０】
【課題を解決するための手段】
本出願に係る発明の目的を実現する構成は、光学系防塵ガラスと感光ドラム電位センサを備えた画像形成装置において、該光学系防塵ガラスと該感光ドラム電位センサをユニットに一体化し、前記ユニットを画像形成装置本体内から着脱可能としたものである。
【００１１】
【発明の実施の形態】
［第１の実施の形態］
図１および図６は本発明の第１の実施の形態を示す。図１は防塵ガラス１１と電位センサ１２を収めたユニット１の構成を示し、図６は画像形成装置の概略図を示す。
【００１２】
図６に示す画像形成装置において、プリンタ部１０００をまず説明する。
【００１３】
図６において、１００は上段カセット、１０２は下段カセットで、カセット内のシートは分離爪と給紙ローラ１０１の作用によって１枚ずつ分離給紙されてレジストローラ１０６に導かれる。
【００１４】
１１１はレーザー変調（レーザースキャナ）、１１２は感光ドラム、１１３は画像書き込み光学系、１２０は画像書き込み前に予め感光ドラム１１２を帯電させる一次帯電器、１１４は現像器、１１５は転写帯電器、１１６は分離帯電器であり、画像形成部を構成する。
【００１５】
書き込み光学系と画像形成部との間は遮蔽板１３０で遮蔽されている。書き込み光学系からの光１４０は、防塵ガラス１１を介して感光ドラム１１２に到達しており、感光ドラム１１２周辺の汚れが書き込み光学系に入ることがないように防塵ガラス１１は書き込み光学系と感光ドラム１１２の間の気密性を確保している。
【００１６】
電位センサ１２は、感光ドラム１１２の表面上の電位を測定するセンサであり、感光ドラム１１２の長手中央付近に配置されている。防塵ガラス１１と電位センサ１２はユニット１によって一体化して扱う事ができる。
【００１７】
１１７は画像形成されたシート材を搬送する搬送ベルト、１１８は定着装置、１１９は排紙ローラである。画像形成されたシート材は排出ローラ１１９によってソータ３０００に排出される。
【００１８】
次にスキャナ部２０００を説明する。
【００１９】
図６において、２０１は走査光学系光源、２０２はプラテンガラス、２０３は開閉する原稿圧板、２０４はレンズ、２０５は受光素子（光電変換）、２０６は画像処理部である。
【００２０】
走査光学系光源２０１で読み取られた原稿像は画像処理部２０６で処理され、電気信号２０７に変換されてレーザー変調１１１に伝送される。
【００２１】
図６における防塵ガラス１１と電位センサ１２を収めたユニット１の構成を図１に示す。
【００２２】
ユニット１には、防塵ガラス１１がホルダー３に収められた状態で挿入、位置決めされている。ユニット１には、図示しないスライド機構によって矢印２１方向にスライドするスライド板金２が取り付けられている。スライド板金２は図示しない感光ドラムユニットが本体に装着されているときには押し付け面２ａを押される事で感光ドラム１１２に近づく方へスライドし、スライド板金２に取り付けられている電位センサ１２を感光ドラム１１２から所定の間隔を離した位置に固定する。
【００２３】
また、感光ドラムユニットを画像形成装置本体より取り出す際には、スライド板金２は感光ドラム１１２から離れる方向へ感光ドラムユニットの着脱に連動してスライドする事により電位センサ１２が感光ドラム１１２表面に接触することがないように構成されている。
【００２４】
防塵ガラス１１、電位センサ１２の汚れを清掃するときには、感光ドラムユニットを本体より取り外した後に、ユニット１を本体より取り外す構成にすることで、防塵ガラス１１、電位センサ１２を一緒に清掃する事ができる。
【００２５】
また、防塵ガラス１１と電位センサ１２は共に同じ雰囲気内に配置されているが、防塵ガラス１１の方が面積が広いため汚れやすく、頻繁に汚れる防塵ガラス１１のみを清掃する際には、ユニット１を外すことなく防塵ガラス１１のみをホルダー３ごと取り出す事もできる構成にしている。構成をさらに単純にして、ホルダー３を廃止し、防塵ガラス１１を直接ユニット１に固定してもよい。
【００２６】
［第２の実施の形態］
図２は第２の実施の形態を示す。
【００２７】
前記第１の実施の形態は、防塵ガラス１１、電位センサ１２を清掃する際にユニット１を本体より取り外す必要があったが、本実施の形態においては図２（ａ）に示すように、前記第１の実施の形態において防塵ガラス１１を収めていたホルダー３を電位センサ支板３ａ、防塵ガラスホルダー３ｂ、連結ピン３ｃによってホルダーユニット（サブユニット）として構成し、ユニット１よりホルダーユニットを取り出す事で防塵ガラス１１、電位センサ１２を一緒に取り出す事が可能になる。
【００２８】
ホルダーユニット１の着脱動作の際には、連結ピン３ｃがユニット１のガイドレール１ａによってガイドされているため、電位センサ１２が感光ドラム１１２に接触することはない。
【００２９】
また前記ホルダーユニットがユニット１に装着されたときには、図２（ｂ）に示すように、隙間はシール部材１５によって塞がれているため、図示しない書き込み光学系に悪影響はない。
【００３０】
［第３の実施の形態］
図３は第３の実施の形態を示す。
【００３１】
本実施の形態においては、電位センサ１２をユニット１の内部に配置し、さらに防塵ガラス１１の内側に配置する事で、電位センサ１２が汚れる事を防ぎ、防塵ガラス１１の清掃のみにする事のできる構成としている。
【００３２】
電位センサ１２は、ユニット１の内部に配置されているため、前記第１の実施の形態、第２の実施の形態と異なり、ユニット１の装着と抜き出の際に、電位センサ１２を感光ドラムとの対向方向にスライドさせる必要はなく、よって電位センサ支板４も固定されている。
【００３３】
ただし、本実施の形態では、電位センサ１２が感光ドラム１１２から防塵ガラス１１を介して配置されているため、電位センサ１２の感度を補正する必要がある。
【００３４】
［第４の実施の形態］
図４は第４の実施の形態を示す。
【００３５】
本実施の形態において、電位センサ１２と防塵ガラス１１とを一体的に有するユニット１を画像形成装置本体に装着時には、図４（ａ）に示すように、電位センサ１２は図示しないバネによって感光ドラム１１２に向けて付勢されており、電位センサ１２を保持する底板７と、ホルダー３と一体に移動する電位センサ位置決め板５の第１カム部５ａによって位置決めされている。なお、底板７は不図示のバネ手段により電位センサ１２を感光ドラムより離れる方向に付勢されている。
【００３６】
図４（ｂ）に示すように、防塵ガラス１１を清掃するためにホルダー３を矢印２２ａ方向に引き抜くと、図示しないスライド機構によって電位センサ位置決め板５は矢印２２ｂの方向にスライドし、電位センサ１２は電位センサ位置決め板５の第２カム部５ｂに当接しながら矢印２２ｃの方向にスライドする。清掃支板６は電位センサ位置決め板５と図示しないリンク機構でリンクされているため、矢印２２ｄ方向へ移動する。
【００３７】
さらに、図４（ｃ）までホルダー３を引き抜くと、電位センサ位置決め板５はさらに移動し、電位センサ１２は第３カム部５ｃの位置に当接し、スライドしなくなる。その時、ホルダー３と一体の清掃支板６は電位センサ１２のセンサ部に清掃部材１６を摺動させて清掃する。
【００３８】
したがって、本実施の形態によれば、防塵ガラス１１を清掃するためにホルダー３を引きぬく動作に連動して、電位センサ１２を清掃する事ができる。
【００３９】
なお、感光ドラム１１２と電位センサ１２の距離を清掃支板６と清掃部材１６が入るように十分に取る事が可能であれば、電位センサ１２を感光ドラムから離れる方向にスライドさせるための機構は必要ない。
【００４０】
【発明の効果】
以上説明したように、本発明によれば、防塵ガラスと電位センサの清掃作業性を大幅に向上させることができる。
【００４１】
請求項２に係る発明によれば、サブユニットのみを取り出して防塵ガラスと電位センサの清掃をすることができる。
【００４２】
請求項３に係る発明によれば、電位センサが前記防塵ガラスの内側に配置されているので、電位センサが汚れることがない。
【００４３】
請求項４に係る発明によれば、防塵ガラスの取り出しに際して清掃部材により電位センサを清掃することができる。
【図面の簡単な説明】
【図１】第１の実施の形態に係るユニットの外観斜視図
【図２】第２の実施の形態を示し、（ａ）は斜視図、（ｂ）は横断面図
【図３】第３の実施の形態に係るユニットの横断面図
【図４】（ａ）（ｂ）（ｃ）は第４の実施の形態に係るユニットの斜視図
【図５】従来例の画像形成装置の画像形成部の概略図
【図６】本発明に係る第１〜第４の実施の形態の画像形成装置概略図
【符号の説明】
１…防塵ガラス・電位センサ一体化ユニット
２…ソータ                          １１…防塵ガラス
１２…電位センサ                    １００…上段カセット
１０１…給紙ローラ                  １０２…下段カセット
１０３…給紙ローラ                  １０６…レジストローラ
１１１…レーザー変調                １１２…感光ドラム
１１３…画像書き込み光学系          １１４…現像器
１１５…転写帯電器                  １１６…分離帯電器
１１７…搬送ベルト                  １１８…定着装置
１１９…排紙ローラ                  １２０…一次帯電器
２０１…走査光学系光源              ２０２…プラテンガラス
２０３…原稿圧板                    ２０４…レンズ
２０５…受光素子                    ２０６…画像処理部
１０００…プリンタ                  ２０００…スキャナ
【図１】
0003604890.tif 000002
【図２】
0003604890.tif 000003
【図３】
0003604890.tif 000004
【図４】
0003604890.tif 000005
【図５】
0003604890.tif 000006
【図６】
0003604890.tif 000007